(57)【特許請求の範囲】
【請求項１】
進化型ノードＢの組（ＥＮＳ１）のうちの少なくとも第１の進化型ノードＢ（ｅＮＢ１）と第２の進化型ノードＢ（ｅＮＢ２）とを備えるＬＴＥ電気通信ネットワークの少なくともプロキシ・ルータ（ＰＲ）によって実行される進化型ノードＢのオン／オフ・ステータスを管理するための方法であって、前記第１の進化型ノードＢ（ｅＮＢ１）は、第１のＳＣＴＰ接続（ＳＣＴＰ１）を経由して前記プロキシ・ルータ（ＰＲ）に接続されており、またノードＢの前記組（ＥＮＳ１）のうちの少なくとも前記第２の進化型ノードＢ（ｅＮＢ２）は、第２のＳＣＴＰ接続（ＳＣＴＰ４）を経由して前記プロキシ・ルータ（ＰＲ）に接続されており、前記プロキシ・ルータ（ＰＲ）は、前記第１の進化型ノードＢと前記第２の進化型ノードＢとの間の第１のＸ２ＡＰ関連付け（Ｘ２ＡＰ１１）を可能にしており、前記方法は、
・  前記プロキシ・ルータ（ＰＲ）により、前記プロキシ・ルータ（ＰＲ）との前記第１の進化型ノードＢ（ｅＮＢ１）の前記第１のＳＣＴＰ接続についての任意の切断を検出するステップと、
・  ＳＣＴＰ接続を経由して前記プロキシ・ルータ（ＰＲ）に接続されている進化型ノードＢの前記組のうちの各進化型ノードＢに対して前記プロキシ・ルータ（ＰＲ）による前記第１のＳＣＴＰ接続（ＳＣＴＰ１）についての前記切断を示す、少なくともＸ２ＡＰストップ・メッセージを送信するステップと、
を含み、前記Ｘ２ＡＰストップ・メッセージは、
○  Ｘ２ＡＰ関連付けの終了を示し、
○  前記第１の進化型ノードＢ（ｅＮＢ１）を識別する、
データを含む、方法。
【請求項２】
ＳＣＴＰ接続を経由して前記プロキシ・ルータ（ＰＲ）に接続されている進化型ノードＢの前記組のうちの各進化型ノードＢは、前記プロキシ・ルータからＸ２ＡＰストップ・メッセージを受信するときに、
・  前記切り離された第１の進化型ノードＢ（ＮＢ１）に対して任意のＸ２ＡＰメッセージをトリガすることを停止するステップ、
を含む、前記方法の最後のステップを実行する、請求項１に記載の方法。
【請求項３】
前記プロキシ・ルータ（ＰＲ）は、前記第１の進化型ノードＢ（ｅＮＢ１）の、前記第１のＳＣＴＰ接続によって知られているＩＰアドレスと、前記プロキシ・ルータ（ＰＲ）を経由して前記第１の進化型ノードＢ（ｅＮＢ１）とのＸ２ＡＰ関連付けを有する進化型ノードＢの前記組（ＥＮＳ１）のうちの進化型ノードＢのＩＰアドレスのリストとの間の対応テーブルを記憶する、請求項１乃至２のいずれか１項に記載の方法。
【請求項４】
前記第１の進化型ノードＢ（ｅＮＢ１）は、Ｘ２ＡＰリンクが、前記第１の進化型ノードＢ（ｅＮＢ１）と、前記第２の進化型ノードＢ（ｅＮＢ２）との間で開始されるときに、Ｘ２セットアップ・シーケンス（２３）の第１のコンテナ（２４）の中に含まれるＸ２ＡＰストップ・メッセージを送信する、請求項１乃至３のいずれか１項に記載の方法。
【請求項５】
前記第１のコンテナ（２４）は、前記第２の進化型ノードＢ（ｅＮＢ２）に対して前記セットアップ・シーケンスを転送するときに、前記プロキシ・ルータ（ＰＲ）のメモリに記憶され、また前記第１の進化型ノードＢ（ｅＮＢ１）のＩＰアドレスを用いて前記対応テーブルに対してインデックス付けされる、請求項４に記載の方法。
【請求項６】
前記プロキシ・ルータ（ＰＲ）は、前記第１の進化型ノードＢ（ｅＮＢ１）との前記第１のＳＣＴＰ接続の前記切断を検出するときに、ノードの前記組（ＥＮＳ１）ベースの少なくとも前記第２の進化型ノードＢ（ｅＮＢ２）に対して前記第１のコンテナ（２４）を自動的に送信する、請求項４乃至５のいずれか１項に記載の方法。
【請求項７】
前記第１の進化型ノードＢ（ｅＮＢ１）は、１つのセルを有する低電力セルラ方式基地局である、請求項１乃至６のいずれか１項に記載の方法。
【請求項８】
前記第１の進化型ノードＢ（ｅＮＢ１）は、ホーム進化型ノードＢ（ＨｅＮＢ）である、請求項７に記載の方法。
【請求項９】
進化型ノードＢの前記組（ＥＮＳ１）のうちの各進化型ノードＢは、ホーム進化型ノードＢ（ＨｅＮＢ）である、請求項１乃至８のいずれか１項に記載の方法。
【請求項１０】
メモリを備え、進化型ノードＢの組（ＥＮＳ１）のうちの少なくとも第１の進化型ノードＢ（ｅＮＢ１）と第２の進化型ノードＢ（ｅＮＢ２）とを備えるＬＴＥ電気通信ネットワークにおいて接続されているプロキシ・ルータであって、前記第１の進化型ノードＢ（ｅＮＢ１）は、第１のＳＣＴＰ接続（ＳＣＴＰ１）を経由して前記プロキシ・ルータ（ＰＲ）に接続されており、また進化型ノードＢの前記組（ＥＮＳ１）のうちの少なくとも前記第２の進化型ノードＢ（ｅＮＢ２）は、第２のＳＣＴＰ接続（ＳＣＴＰ４）を経由して前記プロキシ・ルータ（ＰＲ）に接続されており、前記プロキシ・ルータ（ＰＲ）は、前記第１の進化型ノードＢと前記第２の進化型ノードＢとの間のＸ２ＡＰ関連付け（Ｘ２ＡＰ１１）を可能にしており、前記ルータは、
・  前記第１の進化型ノードＢ（ｅＮＢ１）との前記第１のＳＣＴＰ接続の任意の切断を検出することと、
・  ＳＣＴＰ接続を経由して前記プロキシ・ルータ（ＰＲ）に接続されている進化型ノードＢの前記組のうちの各進化型ノードＢに対して、Ｘ２ＡＰストップ・メッセージと示される、前記第１のＳＣＴＰ接続（ＳＣＴＰ１）の前記切断を示すＸ２ＡＰメッセージを送信することと、
を可能にしており、前記Ｘ２ＡＰストップ・メッセージは、
○  前記ＳＣＴＰ接続の終了を示し、
○  前記第１の進化型ノードＢ（ｅＮＢ１）を識別する、
データを含む、プロキシ・ルータ。
【請求項１１】
前記第１の進化型ノードＢ（ｅＮＢ１）との前記第１のＳＣＴＰ接続の前記切断を検出するときに、ノードの前記組（ＥＮＳ１）ベースの少なくとも前記第２の進化型ノードＢ（ｅＮＢ２）に対して前記Ｘ２ＡＰストップ・メッセージを自動的に送信する、請求項１０に記載のプロキシ・ルータ。
【発明の詳細な説明】
【技術分野】
【０００１】
本発明は、サービスのネットワーク品質に評点を付けることなく、簡単にスイッチをオフにし、または切り離す可能性があるノードＢを備えるＬＴＥ電気通信ネットワーク分野に関する。とりわけ、本発明は、Ｅ−ＵＴＲＡＮネットワークから切り離された、ＨｅＮＢと呼ばれており、またフェムト・セルとも呼ばれているホーム進化型ノードＢの、進化型ノードＢ（ｅＮＢ）など、すぐ近くにある機器に警告することを可能にする方法に関する。
【背景技術】
【０００２】
モバイル電気通信ネットワークにより、ユーザ機器（ＵＥ）のユーザは、いくつかのノードＢ（ＮＢ）のうちの１つと、コア・ネットワークとを経由して他のそのようなユーザと通信することができるようになる。
【０００３】
モバイル・ネットワーク・インフラストラクチャの最近の開発においては、新しいプロトコルが、電気通信機器の高密度な展開と、増大する数のユーザとをサポートするために、必要であった。
【０００４】
そうした状況において、ＬＴＥは、モバイル電話とデータ端末とについての高速データのワイヤレス通信のための規格である。それは、新しい変調技法を使用した容量と速度とを増大させる、ＧＳＭ／ＥＤＧＥネットワーク技術と、ＵＭＴＳ／ＨＳＰＡネットワーク技術とに基づいている。その規格は、３ＧＰＰ（第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ））によって開発され、またそのリリース８ドキュメント・シリーズ（Ｒｅｌｅａｓｅ  ８  ｄｏｃｕｍｅｎｔ  ｓｅｒｉｅｓ）の中で、主要な仕様が記述されている。
【０００５】
ｅ−ＵＴＲＡＮは、３ＧＰＰのロング・ターム・エボリューション・モバイル・ネットワークについての無線アクセス・ネットワークである。それは、ＬＴＥと呼ばれている、またその頭字語が、Ｅ−ＵＴＲＡである「進化型ユニバーサル地上波無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）」として知られてもいるロング・ターム・エボリューションについての３ＧＰＰ作業項目と称されることもある「進化型ＵＭＴＳ地上波無線アクセス・ネットワーク（ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）」についての省略形である。
【０００６】
３ＧＰＰ規格の下では、ＵＴＲＡＮ基地局は、ノードＢ（Ｎｏｄｅ  Ｂ）と称されており、またＥ−ＵＴＲＡＮ基地局は、ｅノードＢ（ｅＮｏｄｅ  Ｂ）またはｅＮＢと称される。
【０００７】
「ノードＢ」は、ＧＳＭネットワークにおいて使用されるＢＴＳとして知られてもいる基地トランシーバ局（ｂａｓｅ  ｔｒａｎｓｃｅｖｅｒ  ｓｔａｔｉｏｎ）に対応している。ノードＢは、以下の説明の中では、ＮＢと示されることもある。
【０００８】
図１は、ｅ−ＵＴＲＡＮアーキテクチャを説明しており、ここでｅＮＢは、スイッチＳＷを経由してダウンストリーム・リンクおよびアップストリーム・リンク１を通してユーザの機器ＵＥからコア・ネットワークへとデータ通信を集約することを可能にする。スイッチは、ＭＭＥと、またそれが、コア・ネットワークに対するゲートウェイとして使用されるときに、特にＭＭＥ／Ｓ−ＧＷと示されるモビリティ管理エンティティとすることができる。
【０００９】
図１は、ｅＮＢが、互いの間の水平リンクを可能にするアーキテクチャを示すものである。
【００１０】
ｅＮＢは、Ｘ２インターフェースによって、互いに相互接続される。ｅＮＢはまた、Ｓ１インターフェースによってＥＰＣ（進化型パケット・コア（Ｅｖｏｌｖｅｄ  Ｐａｃｋｅｔ  Ｃｏｒｅ））に、より詳細には、Ｓ１−ＭＭＥインターフェースによってＭＭＥ（モビリティ管理エンティティ（Ｍｏｂｉｌｉｔｙ  Ｍａｎａｇｅｍｅｎｔ  Ｅｎｔｉｔｙ））に、またＳ１−Ｕインターフェースによってサービング・ゲートウェイ（Ｓ−ＧＷ（Ｓｅｒｖｉｎｇ  Ｇａｔｅｗａｙ））に接続される。Ｓ１インターフェースは、ＭＭＥ／サービング・ゲートウェイと、ｅＮＢとの間の多対多の関係をサポートする。
【００１１】
最近では、３ＧＰＰ標準化団体は、公式のアーキテクチャを採用しており、またホーム基地局についての新しい規格についての作業を開始している。ホーム基地局が、ＬＴＥ規格に従って動作している場合には、ホーム基地局は、時として、ＨｅＮＢと称されることもある。類似したアーキテクチャが、ＷｉＭＡＸネットワークにおいて適用されることもあるであろう。この場合には、ホーム進化型ノードＢは、一般に、フェムト・セルと称される。
【００１２】
簡単にするために、本出願は、用語ＨｅＮＢを使用して、そのような任意のホーム基地局について言及することになる。ＨｅＮＢは、一般的に、家の内部での無線カバレッジ（例えば、３Ｇ／４Ｇ／ＷｉＭＡＸ）を提供することになるが、企業、モール、または屋外において使用されることもある。それは、適切な公衆ネットワークを経由して（例えば、ＡＤＳＬリンクを経由してインターネットに対して）、また３ＧＰＰ規格の場合には、一般的に、いくつかのＨｅＮＢからのトラフィックを集約するオプションとしてのＨｅＮＢゲートウェイ（ＨＮＢ−ＧＷ）を経由して、コア・ネットワークに接続することになる。
【００１３】
以下の説明においては、異なるｅＮＢタイプが、考察されており、すなわち、
・  マクロ−ｅＮＢは、それ自体の必要条件に基づいて、オペレータによって展開され、また維持される任意のｅＮＢについての同義語として使用される。
・  ＨｅＮＢと呼ばれるホームｅＮＢは、家にいるときに、一般的にエンド・ユーザによってインストールされ、またより低い送信電力を有するただ１つのセルのピコｅＮＢとして最もよく説明される。ＨｅＮＢは、場合によっては、マクロ−ｅＮＢのために必要とされるオペレーションと保守機能とのサブセットを必要とするだけである。ホームｅＮＢは、マクロ・セルと同じ周波数レイヤ、ならびに異なるレイヤの上で展開されることもあり、またクローズド・ユーザ・グループだけに限定されることもある。
【００１４】
図２は、
・  コア・ネットワークにアクセスするための、ＭＭＥ／Ｓ−ＧＷと称されるようなスイッチと、
・以下、すなわち、
○  Ｓ１インターフェースを経由したスイッチとの接続と、
○  Ｘ２インターフェースを経由した他のｅＮＢとの接続と
を可能にするｅＮＢと、
・ネットワークに対するモバイル・アクセスのローカル展開を可能にするＨｅＮＢであって、
○  コア・ネットワークにアクセスするための、ＨｅＮＢ  ＧＷと示される、Ｓ１インターフェースを経由したスイッチ、例えば、特定のスイッチとの接続と、
○  Ｘ２インターフェースを経由した他のＨｅＮＢとの接続と
を備えるＨｅＮＢと
を備える、典型的なＥ−ＵＴＲＡＮアーキテクチャを示すものである。
【００１５】
ＨｅＮＢの高密度な展開のシナリオにおいては、マクロｅＮＢに隣接するＨｅＮＢの数は、大きくなる可能性があり、例えば、数百になることもある。
【００１６】
Ｘ２ＡＰプロトコルを使用して、ｅ−ＵＴＲＡＮの内部のＵＥ（ユーザ機器）モビリティを取り扱い、またＸ２ＡＰプロトコルは、特に、以下の機能、すなわち、
・  モビリティ管理と、
・  負荷管理と、
・  一般的なエラー状況の報告を行うことと、
・  Ｘ２をリセットすることと、
・  Ｘ２をセットアップすることと、
・  ｅＮＢ構成のアップデートと、
を提供している。
【００１７】
Ｘ２ＡＰという頭字語は、「Ｘ２アプリケーション・プロトコル」を意味している。プロトコルであるＸ２ＡＰは、Ｘ２インターフェースの上で実装される。Ｘ２インターフェース・レイヤ１の主要機能は、以下のようなものであり、すなわち、
・  物理媒体に対するインターフェース、
・  フレーム区画規定、
・  回線クロック抽出能力、
・  送信品質制御、
・  レイヤ１の警報の抽出および生成、
のようなものである。
【００１８】
そのような数のＸ２接続を規定することおよび維持することは、とりわけ、その隣とのそのような多数のＳＣＴＰ関連付けを規定することおよび維持することに関して、マクロｅＮＢにとって困難になる可能性がある。以下の説明においては、ＳＣＴＰという頭字語は、「ストリーム制御送信プロトコル（Ｓｔｒｅａｍ  Ｃｏｎｔｒｏｌ  Ｔｒａｎｓｍｉｓｓｉｏｎ  Ｐｒｏｔｏｃｏｌ）」を意味している。それは、他のトランスポート・レイヤ・プロトコルに類似した役割でサービスする、トランスポート・レイヤ・プロトコルである。
【００１９】
この課題は、現在、３ＧＰＰ  Ｅｎｈａｎｃｅｄ  Ｈ（ｅ）ＮＢ  Ｍｏｂｉｌｉｔｙ  Ｓｔｕｄｙ  Ｉｔｅｍ  Ｒｅｌｅａｓｅ  １１の一部分として対処されている。
【００２０】
この作業の一部分として、３つのプロキシ問題解決手法が、提案されている。
【００２１】
第１の問題解決手法は、それが、ＳＣＴＰルーティング・プロトコルにおいてのみ機能し、またＸ２ＡＰ問題解決手法とは干渉しないという利点を提示する。プロキシ・ルータは、Ｘ２ＡＰプロトコルを終了させる必要がない。他方では、ｅＮＢと、ＨｅＮＢと、プロキシとは、今日では存在していない非標準化されたＳＣＴＰを使用する必要がある。すべてのノードは、この問題解決手法と準拠するように修正される必要がある。
【００２２】
第２の問題解決手法は、プロキシにおいてＸ２ＡＰプロトコルを完全に終了させるが、汎用の標準的なＳＣＴＰを再使用する利点を提示する。そのような問題解決手法は、プロキシが、高い複雑さを提示し、またすべてのＸ２ＡＰコンテキストと、ノードの振る舞いとを維持するという不都合を提示する。
【００２３】
「Ｘ２ルーティング・プロキシ」の問題解決手法と呼ばれる第３の問題解決手法は、それが、Ｘ２ＡＰプロトコルの終了の観点からステートレス（ｓｔａｔｅｌｅｓｓ）状態のままに留まりながらも、すなわち、Ｘ２ＡＰコンテキストが、プロキシに記憶されず、Ｘ２ＡＰのノードの振る舞いが実装されないままに留まりながら、既存のＳＣＴＰの上部で機能するという利点を提示する。
【００２４】
しかしながら、ＨｅＮＢがスイッチをオフにするときに、この問題解決手法には一つの障害が見つかっている。実際には、このＨｅＮＢがもはや到達することができないことを、マクロｅＮＢの中のピアＸ２ＡＰエンティティに通知する手段は、存在していない。これは、マクロｅＮＢが、Ｘ２ＡＰメッセージを送信し続けることになり、また決して来ないことになる応答を期待することを要求することを意味している。
【００２５】
この問題に効率的に対処する実質的な問題解決手法は、これまでに提示されてきてはいない。したがって、デフォルトによる最良の既存の問題解決手法は、マクロｅＮＢが、応答されていないＸ２ＡＰクラス１プロシージャ、すなわち、要求するノードによって応答が期待されるプロシージャについての複数のトリガリングの後に、何かがピアＸ２ＡＰ  ＨｅＮＢ上で間違っているということを検出することができることである。
【００２６】
１つの不都合は、ｅＮＢの実装形態が、この種類の検出メカニズムを実装していないこともあるマクロｅＮＢ実装形態において行われる選択に依存することである。その場合には、それは、クラス２プロシージャ、すなわち、要求するノードによって応答が期待されない場合のＸ２ＡＰプロシージャの場合を対象として含んではいない。
【００２７】
現在の問題解決手法の主要な欠点は、ネットワークを飽和させる、増大された数の望ましくないメッセージからもたらされる。
【先行技術文献】
【非特許文献】
【００２８】
【非特許文献１】３ＧＰＰ  Ｒｅｌｅａｓｅ  ８  ｄｏｃｕｍｅｎｔ  ｓｅｒｉｅｓ
【非特許文献２】３ＧＰＰ  Ｅｎｈａｎｃｅｄ  Ｈ（ｅ）ＮＢ  Ｍｏｂｉｌｉｔｙ  Ｓｔｕｄｙ  Ｉｔｅｍ  Ｒｅｌｅａｓｅ  １１
【発明の概要】
【発明が解決しようとする課題】
【００２９】
本発明の一目的は、最先端技術の不都合のうちの少なくともいくつかを克服することである。本発明のいくつかの実施形態は、望ましくないメッセージを抑制するとともに、ネットワークの混乱、およびネットワークの混雑状態を低減させることを改善し、またデータ・レートの最適化を改善することを可能にする。
【００３０】
本発明の一目的は、進化型ノードＢの組のうちの第１の進化型ノードＢと、第２の進化型ノードＢとを備えるＬＴＥ電気通信ネットワークの少なくともプロキシ・ルータによって実行される方法を提供することであり、第１の進化型ノードＢは、第１のＳＣＴＰ接続を経由してプロキシ・ルータに接続されており、また進化型ノードＢの組のうちの少なくとも第２の進化型ノードＢは、第２のＳＣＴＰ接続を経由してプロキシ・ルータに接続されており、プロキシ・ルータは、第１の進化型ノードＢと、第２の進化型ノードＢとの間のＸ２ＡＰ関連付けを可能にするものである。
【課題を解決するための手段】
【００３１】
本方法は、
・  プロキシ・ルータにおいて、プロキシ・ルータとの第１の進化型ノードＢの第１のＳＣＴＰ接続についての任意の切断を検出するステップと、
・  第２の進化型ノードＢに対してプロキシ・ルータによる第１のＳＣＴＰ接続についての切断を示す、少なくともＸ２ＡＰストップ・メッセージ（Ｘ２ＡＰ  ＳＴＯＰ  ｍｅｓｓａｇｅ）を送信するステップと、
を含み、Ｘ２ＡＰストップ・メッセージは、
○  Ｘ２ＡＰ関連付けの終了を示し、
○  第１の進化型ノードＢを識別する、
データを含む。
【００３２】
有利には、進化型ノードＢの組のうちの各進化型ノードＢに対してＸ２ＡＰストップ・メッセージを送信するプロキシ・ルータは、ＳＣＴＰ接続を経由してプロキシ・ルータに接続されている。
【００３３】
有利には、ＳＣＴＰ接続を経由してプロキシ・ルータに接続されている進化型ノードＢの組のうちの各進化型ノードＢは、プロキシ・ルータからＸ２ＡＰストップ・メッセージを受信するときに、
・  切り離された第１の進化型ノードＢに対して任意のＸ２ＡＰメッセージをトリガすることを停止するステップ、
を含む、本方法の最後のステップを実行する。
【００３４】
有利には、プロキシ・ルータは、第１の進化型ノードＢのＩＰアドレスの間の対応するテーブルを記憶しており、ＩＰアドレスは、第１のＳＣＴＰ接続によって知られており、また進化型ノードＢの組のうちの進化型ノードＢのＩＰアドレスのリストは、プロキシ・ルータを経由した第１の進化型ノードＢとのＸ２ＡＰ関連付けを有する。
【００３５】
有利には、Ｘ２ＡＰ関連付けが、第１の進化型ノードＢと、第２の進化型ノードＢとの間で開始されるときに、第１の進化型ノードＢは、Ｘ２セットアップ・シーケンスの第１のコンテナの中に含まれるＸ２ＡＰストップ・メッセージを送信する。
【００３６】
有利には、第１のコンテナは、第２の進化型ノードＢに対してセットアップ・シーケンスを転送するときに、プロキシ・ルータのメモリに記憶され、また第１の進化型ノードＢのＩＰアドレスを用いて、対応テーブルにインデックス付けされる。
【００３７】
有利には、プロキシ・ルータは、第１の進化型ノードＢとの第１のＳＣＴＰ接続の切断を検出するときに、進化型ノードＢの組のうちの少なくとも第２の進化型ノードＢに対して第１のコンテナを自動的に送信する。
【００３８】
有利には、第１の進化型ノードＢは、１つのセルを有する低電力セルラ方式基地局である。
【００３９】
有利には、第１の進化型ノードＢは、
−  ただ１つのセルと、
−  限られた消費電力、すなわち、１０００ｍワットよりも実質的に少ない消費電力を有する機器と、
を備える進化型ノードＢである。
【００４０】
第１の進化型ノードＢは、ＨｅＮＢと示され、またフェムト・セルとも呼ばれるホーム進化型ノードＢである。
【００４１】
有利には、進化型ノードＢの組のうちの各進化型ノードＢは、少なくとも２つのセルを備える進化型ノードＢである。好ましい一実施形態においては、ノードＢの組のうちの各進化型ノードＢは、ｅＮＢと示される進化型マクロ・ノードＢである。
【００４２】
さらに、本発明の１つの他の目的は、メモリを備え、進化型ノードＢの組のうちの少なくとも第１の進化型ノードＢと第２の進化型ノードＢとを備えるＬＴＥ電気通信ネットワークにおいて接続されているプロキシ・ルータに関するものであり、第１の進化型ノードＢは、第１のＳＣＴＰ接続を経由してプロキシ・ルータに接続されており、また進化型ノードＢの組のうちの少なくとも第２の進化型ノードＢは、第２のＳＣＴＰ接続を経由してプロキシ・ルータに接続されており、プロキシ・ルータは、第１の進化型ノードＢと、第２の進化型ノードＢとの間のＸ２ＡＰ関連付けを可能にしており、そこではルータは、
・  第１の進化型ノードＢとの第１のＳＣＴＰ接続の任意の切断を検出することと、
・  第２の進化型ノードＢに対して、Ｘ２ＡＰストップ・メッセージと示される、第１のＳＣＴＰ接続の切断を示すＸ２ＡＰメッセージを送信することと
を可能にしており、Ｘ２ＡＰストップ・メッセージは、
○  Ｘ２ＡＰ関連付けの終了を示し、
○  第１の進化型ノードＢを識別する、
データを含んでいる。
【００４３】
有利には、Ｘ２ＡＰストップ・メッセージは、第１の進化型ノードＢと、第２の進化型ノードＢとの間のＸ２ＡＰ関連付けの、第１の進化型ノードＢに関連する第２の進化型ノードＢを識別するデータを含んでいる。
【００４４】
有利には、プロキシ・ルータは、第１の進化型ノードＢとの第１のＳＣＴＰ接続の切断を検出するときに、進化型ノードＢの組のうちの少なくとも第２の進化型ノードＢに対して、第１の進化型ノードＢの対応するＩＰアドレスを自動的に送信する。
【００４５】
さらに、本発明の１つの他の目的は、コンテナの中に含まれるＸ２ＡＰストップ・メッセージを生成すること、および送信することを可能にする第１の進化型ノードＢに関するものであり、コンテナは、Ｘ２ＡＰ関連付けが、第１の進化型ノードＢと、少なくとも第２の進化型ノードＢとの間で開始されるときに、Ｘ２セットアップ・シーケンスの中に含まれている。
【００４６】
有利には、第１の進化型ノードＢは、ＨｅＮＢと示されるホーム進化型ノードＢである。
【００４７】
本発明のこれらの態様および他の態様は、参照が、図面に対して行われており、以下で説明される実施形態から明らかになり、またそれらの実施形態を参照して明らかにされるであろう。
【図面の簡単な説明】
【００４８】
【図１】ＬＴＥネットワークのｅ−ＵＴＲＡＮアーキテクチャの一例を示す図である。
【図２】Ｘ２インターフェースと、Ｓ１インターフェースとを示すＬＴＥネットワークのｅ−ＵＴＲＡＮアーキテクチャを示す図である。
【図３】本発明のプロキシ・ルータが、ｅＮＢと、ＨｅＮＢとの間のＸ２ＡＰ関連付けを可能にする場合のｅ−ＵＴＲＡＮアーキテクチャを示す図である。
【図４】本発明のプロキシ・ルータが、他の機器を用いてＨｅＮＢのスイッチをオフにすることを管理することを可能にする場合のｅ−ＵＴＲＡＮアーキテクチャを示す図である。
【図５】ＨｅＮＢのオン／オフ状態の動的管理のために、ＨｅＮＢと、プロキシ・ルータと、ｅＮＢとの間の交換するメッセージ・シーケンスを示す図である。
【図６】ＨｅＮＢのオン／オフ状態の動的管理のために、プロキシと、いくつかのｅＮＢとの間の交換するメッセージ・シーケンスを示す図である。
【発明を実施するための形態】
【００４９】
図３は、ｅＮＢと、ＨｅＮＢとの間のｅ−ＵＴＲＡＮインターフェース・ネットワークを表すものである。図３のネットワーク・アーキテクチャは、図２のアーキテクチャに類似しているが、プロキシ・ルータは、ｅＮＢの組と、ＨｅＮＢとの間のＸ２関連付けを可能にしている。プロキシ・ルータＰＲは、ｅＮＢと、ＨｅＮＢとの両方の各進化型ノードとのＳＣＴＰ接続を確立することができる。
【００５０】
図４は、ｅＮＢと、ＨｅＮＢとのＰＲインターフェースに焦点を当てたものである。
【００５１】
プロキシ・ルータＰＲは、複数のＨｅＮＢとの異なるＳＣＴＰ接続を可能にする。図４において、これらの接続が、すなわち、
−  接続が、ＨｅＮＢ１と示される第１のＨｅＮＢと、プロキシ・ルータＰＲとの間に確立されるときのＳＣＴＰ１と、
−  接続が、ＨｅＮＢ２と示される第２のＨｅＮＢと、プロキシ・ルータＰＲとの間に確立されるときのＳＣＴＰ２と、
−  接続が、ＨｅＮＢ３と示される第３のＨｅＮＢと、プロキシ・ルータＰＲとの間に確立されるときのＳＣＴＰ３と、
が、示されている。
【００５２】
プロキシ・ルータＰＲはまた、少なくとも１つのｅＮＢとの異なるＳＣＴＰ接続を可能にする。図４において、この接続、すなわち、
−  接続が、ｅＮＢ１と示される第１のｅＮＢと、プロキシ・ルータＰＲとの間に確立されるときのＳＣＴＰ４、
が示されている。
【００５３】
上記で説明されるように、プロキシ・ルータは、進化型ノードＢの組のうちの異なるｅＮＢとのいくつかの接続を有することができる。図４は、ｅＮＢと、プロキシ・ルータとの間の１つのＳＣＴＰ接続に焦点を当てることを目指しているだけである。
【００５４】
この構成においては、プロキシ・ルータＰＲは、ｅＮＢと、各ＨｅＮＢとの間の少なくとも１つのＸ２ＡＰ関連付けをサポートすることができる。
【００５５】
図４においては、これらの関連付けが、すなわち、
−  関連付けが、ＨｅＮＢ１と、ｅＮＢ１との間に確立されるときのＸ２ＡＰ１１と、
−  関連付けが、ＨｅＮＢ２と、ｅＮＢ１との間に確立されるときのＸ２ＡＰ１２と、
−  関連付けが、ＨｅＮＢ３と、ｅＮＢ１との間に確立されるときのＸ２ＡＰ１３と、
が示されている。
【００５６】
本発明の方法は、前記切り離されたＨｅＮＢとのＸ２ＡＰ関連付けを有する少なくともすべてのｅＮＢに対するＸ２ＡＰストップ・メッセージを生成するために、プロキシ・ルータと、１つのＨｅＮＢとの間のＳＣＴＰ切断を検出することを可能にする。
【００５７】
ｅＮＢは、ＰＲと、ＨｅＮＢとの間のＳＣＴＰ切断を検出することができないので、本発明の方法は、この切断についてｅＮＢに通知する手段を提供している。
【００５８】
このプロシージャは、前記関連するｅＮＢによる、ネットワークの中のＸ２ＡＰメッセージを、特に、Ｘ２ＡＰクラス１プロシージャおよびＸ２ＡＰクラス２プロシージャと称されるメッセージをトリガすることを停止することを可能にする。
【００５９】
ＨｅＮＢ切断、例えば、ＨｅＮＢ１の切断との関連では、本発明の方法の第１のステップは、そのＨｅＮＢに対してＸ２ＡＰメッセージをトリガすることを停止するためにＸ２ＡＰ関連付けが、終了される前記切り離されたＨｅＮＢ１とのＸ２ＡＰ関連付けを有するネットワークについて、いくつかのｅＮＢに対して示す新しいＸ２ＡＰメッセージを生成することである。
【００６０】
Ｘ２ＡＰストップ・メッセージの生成に関して、本発明は、第１の実施形態と、第２の実施形態とを含む。
【００６１】
本発明の方法の第１の実施形態においては、プロキシ・ルータは、それ自体が、このＸ２ＡＰストップ・メッセージを生成することができる。それは、プロキシ・ルータが、前記切り離されたＨｅＮＢ１とのＳＣＴＰ切断を検出し、また前記ＨｅＮＢ１との少なくともＸ２ＡＰ関連付けを有するすべての関係しているｅＮＢに対してＸ２ＡＰストップ・メッセージを生成することができることを意味している。そのメッセージは、少なくともソースＨｅＮＢ識別子を含んでいる。
【００６２】
本発明の方法の第２の実施形態においては、Ｘ２ＡＰストップ・メッセージは、ＨｅＮＢによって生成され、また後の使用のために、すなわち、ＳＣＴＰ接続が切断されることになるときに、前記Ｘ２ＡＰストップ・メッセージを記憶することができるプロキシ・ルータに対して送信される。この問題解決手法の１つの利点は、ＨｅＮＢが、そのようなメッセージを生成するすべてのＸ２ＡＰスタックとプロシージャとを有することである。ＨｅＮＢは、Ｘ２ＡＰプロトコルを完全に終了しており、またこの問題解決手法は、その終了から恩恵を受ける。
【００６３】
その実施形態においては、Ｘ２ＡＰストップ・メッセージは、ソースＨｅＮＢ  ＩＤを依然として含んでいる。
【００６４】
Ｘ２ＡＰストップ・メッセージは、ＨｅＮＢによる第１のＸ２ＡＰメッセージとして送信されるＸ２セットアップ要求／応答の中に含まれる新しい情報要素であるトランスペアレントなコンテナの形式で含まれることもある。
【００６５】
ＨｅＮＢによって送信される各Ｘ２ＡＰセットアップ要求／応答メッセージごとに、プロキシ・ルータは、ＨｅＮＢのソースＩＰアドレスに加えて、受信されたコンテナを記憶することができる。
【００６６】
代替的な一実施形態においては、プロキシ・ルータは、受信されたＸ２セットアップ要求／応答に対応するターゲットｅＮＢのＩＰアドレスと、ＨｅＮＢのソースＩＰアドレスとを記憶して、ソースＨｅＮＢが、Ｘ２ＡＰ関連付けを有するターゲットｅＮＢのＩＰアドレスのリストを構築することができる。
【００６７】
図４または５の中のｅＮＢ１として、ＨｅＮＢとＸ２ＡＰにより関連付けられたｅＮＢは、そのコンテナを無視することができる。実際には、生成されたコンテナは、ＨｅＮＢ１とプロキシ・ルータとの間のＳＣＴＰ切断が起きることになるときに、後で送信されることを目指しているだけである。
【００６８】
本発明の方法の第２のステップは、プロキシ・ルータとのおのおの少なくとも１つのＳＣＴＰ接続を有する、ネットワークのｅＮＢの組に対してＨｅＮＢ１についてのスイッチをオフにすることを示すＸ２ＡＰストップ・メッセージを送信することである。
【００６９】
いくつかのｅＮＢに向かってＸ２ＡＰストップ・メッセージの送信に関して、本発明は、既に説明された実施形態と組み合わされる可能性がある第１の実施形態と、第２の実施形態とを備えている。
【００７０】
第１の実施形態においては、所与の任意の時点において、プロキシは、各ＨｅＮＢ  ＩＰアドレスについてのメモリの中に、ＨｅＮＢが、Ｘ２ＡＰ関連付けをセットアップしているｅＮＢに対応するＩＰアドレスの第１のリストを有する。
【００７１】
第２の実施形態においては、プロキシ・ルータは、各ＨｅＮＢ  ＩＰアドレスのためのメモリの中に、プロキシ・ルータとのＳＣＴＰ接続を有するｅＮＢに対応するＩＰアドレスの第２のリストを有する。１つの利点は、そのリストが、プロキシ・ルータにおいて、すべてのＨｅＮＢにとって固有とすることができることである。リストは、ルータにおいてアクティブであるすべてのＳＣＴＰ接続を分析することにより、確立される可能性がある。この問題解決手法は、別の目的のためにルータにおいてすでに構成されているリストを構築する利点を有している。
【００７２】
その代替案においては、Ｘ２ＡＰ関連付けの概念は、プロキシ・ルータからのの観点では、全く知られていない。そのことによりプロキシ・ルータについてのどのようなＸ２ＡＰの知識もすべて回避できるので、これは有利であるといえる。その問題解決手法においては、プロキシ・ルータは、ＳＣＴＰ１が切り離されたときに、Ｘ２ＡＰプロトコルについてのどのような知識もなしにコンテナを送信するだけである。コンテナは、ターゲットｅＮＢによって分析され得るＸ２ＡＰストップ・メッセージを含んでいる。
【００７３】
プロキシが、例えば、接続されていたＨｅＮＢが、ＳＣＴＰ接続を失うことによってスイッチをオフにしていることを検出するときはいつでも、プロキシは、そのＨｅＮＢから、すなわち、Ｘ２セットアップ・シーケンスにおいて、上記で定義される第１のリストまたは第２のリストの中に含まれるＩＰアドレスを有するすべての接続されたｅＮＢに向かって、以前に受信されたコンテナを送信する。
【００７４】
ＨｅＮＢ  ＩＤを含むＸ２ＡＰストップ・メッセージを受信した後に、ｅＮＢは、この特定のＨｅＮＢが、今ではスイッチをオフにしていることを知るようになる。その情報は、そのＨｅＮＢを用いてそれ以上のＸ２ＡＰアクティビティをトリガすることをｅＮＢが停止することを可能にする。
【００７５】
本発明によれば、プロキシは、各ＨｅＮＢについて、１つのリストを、すなわち、選択される実施形態に応じた第１のリスト、または第２のリストを記憶する必要があるだけである。リストは、興味のあるｅＮＢ、すなわち、切り離されたＨｅＮＢとのＸ２ＡＰ関連付けを有するｅＮＢだけに対して送信するために、１つのコンテナに加えて、１組のｅＮＢのターゲットＩＰアドレスを含むことができる。
【００７６】
従って、プロキシがＸ２ＡＰプロトコルを完全に終了させない状態を維持する一方でＸ２ＡＰメッセージを生成せずに、問題は解決される。１つの利点は、プロキシ・ルータが、Ｘ２ＡＰコンテキストを記憶し、また保持しないことである。この利点はまた、プロキシ・ルータを１つの既存のネットワークの中でより相互運用可能に展開することも可能にする。
【００７７】
図５は、コンテナ２４が、プロキシ・ルータＰＲを通してｅＮＢ１とのＸ２ＡＰ関連付けを確立するときに、Ｘ２セットアップ・シーケンス２３において、ＨｅＮＢ１によって送信される場合の実施形態を示すものである。Ｘ２ＡＰ関連付けは、第１のＳＣＴＰ接続２０と、第２のＳＣＴＰ接続２１とを経由してサポートされる。第１のＳＣＴＰ接続と、第２のＳＣＴＰ接続とは、ＳＣＴＰプロトコルの特徴に起因して独立している。
【００７８】
セットアップ・シーケンスは、Ｘ２セットアップ要求／応答であり、またそれは、一般に、ソースＨｅＮＢ１  ＩＤと、ターゲットｅＮＢ１  ＩＤと、セットアップ構成に関する他の情報と、を含む。この実施形態においては、セットアップ・シーケンスはまた、Ｘ２ＡＰストップ・メッセージを含むコンテナも含んでいる。
【００７９】
それが、図５に示されているように、セットアップ要求／応答２３は、Ｘ２ＡＰ関連付けを介してｅＮＢ１に対してＰＲによって転送される。
【００８０】
一実施形態においては、転送されたセットアップ要求／応答２３は、コンテナ２４を含むことができる。その実施形態においては、ＨｅＮＢ１からセットアップ情報を受信するｅＮＢ１は、そのコンテキストにおけるコンテナを無視することができる。
【００８１】
別の実施形態においては、転送されたセットアップ要求／応答２３は、コンテナ２４を含んではいない。その実施形態においては、ＨｅＮＢ１からセットアップ情報を受信するｅＮＢ１は、コンテナを受信しない。その場合には、プロキシ・ルータは、コンテナを記憶し、またそれをセットアップ要求／応答データ２３から取り除くことができる。
【００８２】
両方の上記の実施形態においては、ＨｅＮＢ１からの、生成されたＸ２ストップ・メッセージは、プロキシ・ルータＰＲによって記憶されて、後での使用のために、すなわち、ＨｅＮＢ１が、スイッチをオフにされることになるときの使用のために、それを送信することを目指しているだけである。
【００８３】
プロキシ・ルータＰＲは、このＨｅＮＢ  ＩＰアドレスのために、コンテナを記憶する。特定の一実施形態においては、ターゲットｅＮＢ１のターゲットＩＰアドレスは、Ｘ２ＡＰ関連付けからの対応するＨｅＮＢ  ＩＰアドレスとともに記憶される。これらの情報は、上記で説明されるようにリストとして記憶される可能性がある。
【００８４】
ＨｅＮＢ１が、スイッチをオフにされ、またはネットワークから切り離されるときに、ＨｅＮＢ１とＰＲとの間のＳＣＴＰ接続２０は、図５の上のコンテキスト２０’を参照すると、切り離されている。
【００８５】
その場合には、プロキシ・ルータは、ＨｅＮＢ１のないことを検出し、またｅＮＢ１に対してＳＣＴＰ接続２１を通して、セットアップ・シーケンス２３なしに、コンテナ２４だけを送信する。
【００８６】
１つの利点は、プロキシ・ルータが、ｅＮＢ１とＨｅＮＢ１との両方についてのＸ２ＡＰコンテキストを知る必要がないことである。
【００８７】
図６は、図６の上でｅＮＢ１と、ｅＮＢ２と称されるいくつかのｅＮＢが、プロキシ・ルータに対するＳＣＴＰ接続を経由して接続されるという１つの場合を示すものである。
【００８８】
プロキシ・ルータＰＲが、ＨｅＮＢ１の切断を検出するときに、プロキシ・ルータＰＲは、記憶されたリストの中のＨｅＮＢ１コンテナを取り出し、またリストのうちのすべてのｅＮＢ  ＩＰアドレスに対してコンテナを送信する。
【００８９】
上記で説明される一実施形態においては、リストは、プロキシ・ルータとのＳＣＴＰ接続を有するすべてのｅＮＢに対応している。それは、ｅＮＢ１と、ｅＮＢ２とが、それぞれＳＣＴＰ接続２１と、ＳＣＴＰ接続２２とを有する場合に、プロキシ・ルータが、ＨｅＮＢ１の切断が起こるときに、それらのおのおのに対してコンテナ２４を送信することになることを意味する。
【００９０】
本発明の問題解決手法の１つの利点は、ネットワークの混雑状態の緩和と、データ・レートの最適化との観点から、ネットワーク特性を改善することにある。
【図１】
0005989245.tif 000002
【図２】
0005989245.tif 000003
【図３】
0005989245.tif 000004
【図４】
0005989245.tif 000005
【図５】
0005989245.tif 000006
【図６】
0005989245.tif 000007